(57)【特許請求の範囲】
【請求項１】
本体ケースの側部に列状に設けた複数の負荷側端子の何れかに熱動形過負荷継電器の電源側接続部が接続される電磁接触器において、
前記複数の負荷側端子の何れかに接続する接続部と、この接続部から前記側部近くの前記配線スペースを通過して前記本体ケースの外側まで立ち上がる導体脚部と、この導体脚部に連続して前記本体ケースの外側に設けられ、外部配線の配線端子が接続可能な中継端子とを有する中継端子部材を備えていることを特徴とする電磁接触器。
【請求項２】
前記中継端子部材は、前記中継端子を支持する絶縁体からなる端子ボックスと、前記導体脚部の周囲を被覆する被覆部材と、前記端子ボックスに一体化されて前記被覆部材に被覆された前記導体脚部の立ち上がりを保持する絶縁体からなる保持部とを備えていることを特徴とする請求項１記載の電磁接触器。
【請求項３】
前記保持部は、前記本体ケースに設けた中継端子係合部に着脱自在に係合するケース係合部が形成されており、前記外部配線に引張り力が作用した際に、前記中継端子係合部及び前記ケース係合部は、前記本体ケースから前記中継端子部材の離脱を防止する係合力を発生することを特徴とする請求項２記載の電磁接触器。
【請求項４】
前記中継端子部材は、前記複数の負荷側端子のうち隣接する少なくとも２つの負荷側端子に接続する前記接続部と、当該接続部と同数の前記導体脚部及び前記中継端子とを備えていることを特徴とする請求項１乃至３の何れか１項に記載の電磁接触器。
【請求項５】
前記本体ケースの上部に補助接点ユニットが着脱自在に装着されており、
前記中継端子部材の前記中継端子は、前記補助接点ユニットの接点より低い位置に配置されていることを特徴とする請求項１乃至４の何れか１項に記載の電磁接触器。
【発明の詳細な説明】
【技術分野】
【０００１】
本発明は、熱動形過負荷継電器等の他のユニットが近接して組付けられることで外部配線を接続する端子の配線スペースが狭い電磁接触器に関する。
【背景技術】
【０００２】
電源及び負荷（電動機など）の間に電磁接触器及び熱動形過負荷継電器を接続することで、電動機の過電流保護及び欠相保護を行う電磁開閉器が知られている（例えば、特許文献１）。
また、図８に示すように、熱動形過負荷継電器３とで電磁開閉器１を構成している電磁接触器２に、補助接点ユニット４を装着したものも知られている。
【０００３】
図８の電磁接触器２は、図９にも示すように、本体ケース上部の一側に、三相の電源側主回路端子２ａ１〜２ａ３、電源側補助端子２ａ４及び電源側コイル端子２ａ５が列状に設けられており、これら電源側端子２ａ１〜２ａ５に対向する本体ケース上部の他側に、三相の負荷側主回路端子２ｂ１〜２ｂ３、負荷側補助端子２ｂ４及び負荷側コイル端子２ｂ５が列状に設けられている。そして、この電磁接触器２の本体ケース内部には、電源側主回路端子２ａ１〜２ａ３及び負荷側主回路端子２ｂ１〜２ｂ３にそれぞれ接続する接点部（不図示）、電源側補助端子２ａ４及び負荷側補助端子２ｂ４に接続する接点部（不図示）、電源側コイル端子２ａ５及び負荷側コイル端子２ｂ５に接続する接点部（不図示）が収納されている。
【０００４】
熱動形過負荷継電器３は、図８に示すように、本体ケース上部の一側から突出して設けられ、電磁接触器２の三相の負荷側主回路端子２ｂ１〜２ｂ３にそれぞれ接続する電源側接続バー３ａ１〜３ａ３と、本体ケース上部の他側に列状に設けられた負荷側主回路端子３ｂ１〜３ｂ３と、これら負荷側主回路端子３ｂ１〜３ｂ３に対して列状に設けられた電源側第１補助端子３ｂ４及び負荷側第１補助端子３ｂ５と、これら第１補助端子３ｂ４，３ｂ５に対して異なる高さに列状に設けられた電源側第２補助端子３ｂ６及び負荷側第２補助端子３ｂ７とを備えている。そして、この熱動形過負荷継電器３の本体ケース内部には、電源側第１補助端子３ｂ４及び負荷側第１補助端子３ｂ５に接続する接点部（不図示）、電源側第２補助端子３ｂ６及び負荷側第２補助端子３ｂ７に接続する接点部（不図示）が収納されている。
【０００５】
補助接点ユニット４は、図８に示すように、本体ケース上部の一側に、電源側ユニット端子４ａ１〜４ａ４が列状に設けられ、本体ケース上部の他側に、負荷側ユニット端子４ｂ１〜４ｂ４が列状に設けられている。この補助接点ユニット４の本体ケース内部には、電源側ユニット端子４ａ１〜４ａ４及び負荷側ユニット端子４ｂ１〜４ｂ４にそれぞれ接続する接点部（不図示）が収納されている。この補助接点ユニット４は、図９に示すように、下面に形成したフック部４ｃ〜４ｅを電磁接触器２の第１〜第３連結孔２ｃ〜２ｅに挿入し、表示片係合部４ｆを電磁接触器２の動作表示片２ｆに嵌め込むことで電磁接触器２に装着され、電磁接触器２の接点部に同期して補助接点ユニット４の接点部が作動するようになっている。
【先行技術文献】
【特許文献】
【０００６】
【特許文献１】特開平６−３１０００７号公報の図１２
【発明の概要】
【発明が解決しようとする課題】
【０００７】
ところで、負荷側主回路端子２ｂ１〜２ｂ３と電源側接続バー３ａ１〜３ａ３とを接続した電磁接触器２及び熱動形過負荷継電器３は、電磁接触器２の他側（負荷側補助端子２ｂ４及び負荷側コイル端子２ｂ５側）と熱動形過負荷継電器３の一側との間隔が狭く（図８の符号Ａで示す〇印の領域）、負荷側補助端子２ｂ４及び負荷側コイル端子２ｂ５と外部配線を接続するために十分な配線スペースを確保することができない。
このため、高剛性の絶縁被覆配線などの外部配線を接続する場合には、先端の配線端子が負荷側補助端子２ｂ４及び負荷側コイル端子２ｂ５に対応するように、狭い配線スペースで外部配線を曲げなければならず、外部配線の引き回しが難しい。
【０００８】
また、電磁接触器２の三相の負荷側主回路端子２ｂ１〜２ｂ３と熱動形過負荷継電器３の一側との間隔も狭く十分な配線スペースがなく、例えば、負荷側主回路端子２ｂ１〜２ｂ３の何れか２つの端子から単相の電源を取るために２本の外部配線を接続する場合にも、外部配線の引き回しが難しい。
そこで、本発明は、上記従来例の未解決の課題に着目してなされたものであり、他のユニットの接続により配線スペースが狭い端子が存在していても、外部配線の引き回しを容易に行なうことができる電磁接触器を提供することを目的としている。
【課題を解決するための手段】
【０００９】
上記目的を達成するために、本発明に係る請求項１記載の電磁接触器は、本体ケースの側部に列状に設けた複数の負荷側端子の何れかに熱動形過負荷継電器が接続される電磁接触器において、前記複数の負荷側端子の何れかに接続する接続部と、この接続部から前記側部近くの前記配線スペースを通過して前記本体ケースの外側まで立ち上がる導体脚部と、この導体脚部に連続して前記本体ケースの外側に設けられ、外部配線の配線端子が接続可能な中継端子とを有する中継端子部材を備えている。
この発明によると、熱動形過負荷継電器の近接配置により負荷側端子の周囲の配線スペースが狭くても、負荷側端子に接続して配線スペースを通過しているとともに、本体ケースの外側に中継端子を設けた中継端子部材を備えているので、外部配線の配線作業が容易となる。
【００１０】
また、請求項２記載の発明は、請求項１記載の電磁接触器において、前記中継端子部材が、前記中継端子を支持する絶縁体からなる端子ボックスと、前記導体脚部の周囲を被覆する被覆部材と、前記端子ボックスに一体化されて前記被覆部材に被覆された前記導体脚部の立ち上がりを保持する絶縁体からなる保持部とを備えている。この発明によると、中継端子部材の絶縁性能を高めることができる。
【００１１】
また、請求項３記載の発明は、請求項２記載の電磁接触器において、前記保持部は、前記本体ケースに設けた中継端子係合部に着脱自在に係合するケース係合部が形成されており、前記外部配線に引張り力が作用した際に、前記中継端子係合部及び前記ケース係合部は、前記本体ケースから前記中継端子部材の離脱を防止する係合力を発生するようにした。この発明によると、外部配線と電磁接触器の接続状態を十分に確保することができる。
【００１２】
また、請求項４記載の発明は、請求項１乃至３の何れか１項に記載の電磁接触器において、前記中継端子部材は、前記複数の負荷側端子のうち隣接する少なくとも２つの負荷側端子に接続する前記接続部と、当該接続部と同数の前記導体脚部及び前記中継端子とを備えている。
この発明によると、電磁接触器の負荷側端子に対する中継端子部材の接続作業、外部配線の接続作業の簡便化を図ることができる。
【００１３】
さらに、請求項５記載の発明は、請求項１乃至４の何れか１項に記載の電磁接触器において、前記本体ケースの上部に補助接点ユニットが着脱自在に装着されており、前記中継端子部材の前記中継端子は、前記補助接点ユニットの接点より低い位置に配置されている。
この発明によると、補助接点ユニットの接点に接続されている外部配線と干渉せずに、電磁接触器に接続した中継端子部材への外部配線の接続作業を容易に行なうことができる。
【発明の効果】
【００１４】
本発明に係る電磁接触器によると、熱動形過負荷継電器の近接配置により負荷側端子の周囲の配線スペースが狭くても、負荷側端子に接続して配線スペースを通過し、本体ケースの外側に中継端子を設けた中継端子部材を備えているので、外部配線の配線作業を容易に行なうことができる。しかも、中継端子の周囲の広い配線スペースで行なう外部配線の配線作業は引き回しが不要となるので、高剛性の外部配線であっても配線作業を容易に行なうことができる。
【図面の簡単な説明】
【００１５】
【図１】本発明に係る電磁開閉器を示す斜視図である。
【図２】本発明に係る電磁接触器を構成する部材を分解して示した図である。
【図３】本発明に係る電磁接触器及び中継端子部材を示す図である。
【図４】本発明に係る中継端子部材を背面側から示した図である。
【図５】本発明に係る中継端子部材を正面側から示した図である。
【図６】本発明に係る中継端子部材の保持部に形成されたケース係合部を示す図である。
【図７】本体ケースに設けた中継端子係合部と保持部に設けたケース係合部の係合状態を示す図である。
【図８】従来の電磁開閉器を示す斜視図である。
【図９】電磁接触器に補助接点ユニットを装着する構造を示す図である。
【発明を実施するための形態】
【００１６】
以下、本発明を実施するための最良の形態（以下、実施形態という。）を、図面を参照しながら詳細に説明する。なお、図８及び図９で示した構成と同一構成部分には、同一符号を付してその説明を省略する。
図１は、本発明に係る電磁開閉器１を示すものであり、電磁接触器２の他側の負荷側主回路端子２ｂ１，２ｂ２に第１中継端子ブロック１３Ａが接続されているとともに、負荷側補助端子２ｂ４及び負荷側コイル端子２ｂ５に第２中継端子ブロック１３Ｂが接続されている。
【００１７】
電磁接触器２のケースは、下ケース５ａと上ケース５ｂとで構成されており、上ケース５ｂには、図２に示す部品が収納されている。
上ケース５ｂは、図２に示すように、互いに平行に複数の隔壁１２を設けることで、負荷側の複数の端子室６と電源側の複数の端子室７とが互いに背面側で対向して設けられており、これら負荷側の端子室６及び電源側の端子室７の間に設けた収納空間に接点部８が収納され、収納空間を覆うカバー９が上ケース５ｂに装着されている。
【００１８】
接点部８は、可動接点支え８ａと、復帰ばね８ｂと、複数の可動接点８ｃ及び複数の接点ばね（不図示）を備えている。可動接点支え８ａは、下ケース５ａに内蔵した電磁石（不図示）の可動鉄芯の移動方向と平行に移動するように配置され、移動方向の一側に設けた駆動レバー１０が可動鉄芯に連動可能に係合する。復帰ばね８ｂは、可動接点支え８ａの一側に向けてばね付勢力を作用して上ケース５ｂ内に配置されている。複数の可動接点８ｃは、可動接点支え８ａと同一方向に移動可能となるように、各々が接点ばねに支持されて可動接点支え８ａ内に配置されている。また、複数の接点ばねは、復帰ばね８ｂがばね付勢力を作用する方向に対して逆方向に、各々の可動接点８ｃにばね付勢力を作用して配置されている。
【００１９】
負荷側の各端子室６及び電源側の各端子室７には固定接触子１１が装着されており、負荷側に三相の負荷側主回路端子２ｂ１〜２ｂ３、負荷側補助端子２ｂ４及び負荷側コイル端子２ｂ５が列状に設けられ、電源側に三相の電源側主回路端子２ａ１〜２ａ３、電源側補助端子２ａ４及び電源側コイル端子２ａ５が列状に設けられる。なお、固定接触子１１に形成されている端子ねじには、座金付きねじ１１ａが螺合している。
ここで、図３に示すように、本実施形態の電磁接触器２は、負荷側の端子室６及び電源側の端子室７を設けている上ケース５ｂの隔壁１２の負荷側、或いは電源側を向く側面に、隣接する隔壁１２に向けて突出する中継端子係合部１４が形成されている。
【００２０】
そして、本実施形態の電磁接触器２は、電源側主回路端子２ａ１〜２ａ３、電源側補助端子２ａ４及び電源側コイル端子２ａ５が、上ケース５ｂに装着した端子カバー１５で覆われているとともに、負荷側主回路端子２ｂ１〜２ｂ３、負荷側補助端子２ｂ４及び負荷側コイル端子２ｂ５は端子カバー１５で覆われておらず、第１中継端子ブロック１３Ａが、中継端子係合部１４に係合した状態で負荷側主回路端子２ｂ１，２ｂ２に接続し、第２中継端子ブロック１３Ｂが、中継端子係合部１４に係合した状態で負荷側補助端子２ｂ４及び負荷側コイル端子２ｂ５に接続している。
【００２１】
第１中継端子ブロック１３Ａは、図４及び図５に示すように、隔壁１３ａを介して２つの端子室１３ｂ，１３ｃを隣接して設けた合成樹脂製の端子ボックス１３ｄと、端子室１３ｂ，１３ｃにそれぞれ装着された一対の固定端子１３ｅ，１３ｆと、これら一対の固定端子１３ｅ，１３ｆに連続して形成され、固定端子１３ｅ，１３ｆから直角方向に折曲されて端子ボックス１３ｄに対して離間する方向に延在する脚部１３ｇ，１３ｈと、これら脚部１３ｇ，１３ｈの端部で固定端子１３ｅ，１３ｆが延在している方向と異なる直角方向に折曲された棒状の接続部１３ｉ，１３ｊと、端子ボックス１３ｄに一体形成され、絶縁チューブ１３ｋに被覆された脚部１３ｇ，１３ｈ及び接続部１３ｉ，１３ｊの一部を保持する合成樹脂製の保持部１３ｍと、一対の固定端子１３ｅ，１３ｆに形成されている端子ねじに螺合した座金付きねじ１３ｎ，１３ｏとを備えている。
固定端子１３ｅ及び座金付きねじ１３ｎが第１中継端子１３ｐであり、固定端子１３ｆ及び座金付きねじ１３ｏが第２中継端子１３ｑであり、これら第１中継端子１３ｐ及び第２中継端子１３ｑは、端子ボックス１３ｄに装着した端子カバー１３ｒで覆われている。
【００２２】
また、図６に示すように、保持部１３ｍには、脚部１３ｇ，１３ｈの間を延在して接続部１３ｉ，１３ｊ側で開口する溝形状のケース係合部１６が形成されており、電磁接触器２に第１中継端子ブロック１３Ａを接続する際に、前述した上ケース５ｂの隔壁１２の側面に形成した中継端子係合部１４にケース係合部１６が係合する。
このケース係合部１６は、図７に示すように、上ケース５ｂの隔壁１２を挿通させる第１溝１６ａと、この第１溝１６ａより溝幅が増大して形成され、隔壁１２の側面から突出した中継端子係合部１４を挿通させる第２溝１６ｂとで構成されている。
【００２３】
また、第２中継端子ブロック１３Ｂは、第１中継端子ブロック１３Ａと同様の構造とされているので説明は省略する。
ここで、本発明の本体ケースが上ケース５ｂに対応し、本発明の負荷側端子が負荷側主回路端子２ｂ１〜２ｂ３，負荷側補助端子２ａ４，負荷側コイル端子２ａ５に対応し、本発明の導体脚部が脚部１３ｇ，１３ｆに対応し、本発明の中継端子が第１中継端子１３ｐ及び第２中継端子１３ｑに対応し、本発明の中継端子部材が第１中継端子ブロック１３Ａ，第２中継端子ブロック１３Ｂに対応している。
【００２４】
次に、電磁接触器２に、上記構成の第１及び第２中継端子ブロック１３Ａ，１３Ｂ、熱動形過負荷継電器３を装着する手順について説明する。なお、電磁接触器２には補助接点ユニット４がすでに装着されているものとする。
先ず、電磁接触器２の負荷側主回路端子２ｂ１〜２ｂ３、負荷側補助端子２ｂ４及び負荷側コイル端子２ｂ５を構成する固定接触子１１に螺合している座金付きねじ１１ａを緩める。
【００２５】
次に、負荷側主回路端子２ｂ１，２ｂ２の固定接触子１１に、第１中継端子ブロック１３Ａの接続部１３ｉ，１３ｊを接触させる。その際、第１中継端子ブロック１３Ａの保持部１３ｍに形成したケース係合部１６の開口部を、上ケース５ｂの隔壁１２に形成した中継端子係合部１４に対向させた後、ケース係合部１６の第１溝１６ａに上ケース５ｂの隔壁１２を挿通し、第２溝１６ｂに隔壁１２の側面から突出した中継端子係合部１４を挿通させる。
【００２６】
次に、負荷側補助端子２ｂ４及び負荷側コイル端子２ｂ５の固定接触子１１に、第２中継端子ブロック１３Ｂの接続部１３ｉ，１３ｊを接触させる。その際、第２中継端子ブロック１３Ｂの保持部１３ｍに形成したケース係合部１６の開口部を、上ケース５ｂの隔壁１２及び中継端子係合部１４に対向させた後、ケース係合部１６の第１溝１６ａに上ケース５ｂの隔壁１２を挿通し、第２溝１６ｂに隔壁１２の側面から突出した中継端子係合部１４を挿通させる。
次に、熱動形過負荷継電器３の電源側接続バー３ａ１〜３ａ３を負荷側主回路端子２ｂ１〜２ｂ３の固定接触子１１に接触させる。
【００２７】
次に、電磁接触器２の負荷側主回路端子２ｂ１〜２ｂ３、負荷側補助端子２ｂ４及び負荷側コイル端子２ｂ５の全ての座金付きねじ１１ａを固定接触子１１に螺合することで、第１及び第２中継端子ブロック１３Ａ，１３Ｂ及び熱動形過負荷継電器３が電磁接触器２に装着される。
ここで、図１に示すように、電磁接触器２に装着された第１及び第２中継端子ブロック１３Ａ，１３Ｂの端子ボックス１３ｄは、補助接点ユニット４の負荷側ユニット端子４ｂ１〜４ｂ４より低い位置に配置される。
【００２８】
次に、第１及び第２中継端子ブロック１３Ａ，１３Ｂ、熱動形過負荷継電器３を装着した電磁接触器２に、外部配線を接続する手順について説明する。
図１に示すように、電磁接触器２から単相電源を用いるために絶縁被覆配線１８，１９を接続するには、負荷側主回路端子２ｂ１〜２ｂ３に導通している第１中継端子ブロック１３Ａの第１中継端子１３ｐ及び第２中継端子１３ｑの座金付きねじ１３ｎ，１３ｏを緩め、固定端子１３ｅ、１３ｆに絶縁被覆配線１８，１９の先端の配線端子（不図示）を接触させた後、座金付きねじ１３ｎ，１３ｏを螺合することで、単相電源用の絶縁被覆配線１８，１９の接続が完了する。
【００２９】
また、電磁接触器２の負荷側補助端子２ｂ４に、補助電源用の絶縁被覆配線２０を接続する際には、負荷側補助端子２ｂ４に導通している第２中継端子ブロック１３Ｂの第１中継端子１３ｐの座金付きねじ１３ｎを緩め、固定端子１３ｅに絶縁被覆配線２０の先端の配線端子（不図示）を接触させた後、座金付きねじ１３ｎを螺合することで、補助電源用の絶縁被覆配線２０の接続が完了する。
【００３０】
また、電磁接触器２の負荷側コイル端子２ａ５に、電磁接触器２に収納されている電磁コイルの電源供給用の絶縁被覆配線２１を接続する際には、負荷側コイル端子２ａ５に導通している第２中継端子ブロック１３Ｂの第２中継端子１３ｑの座金付きねじ１３ｏを緩め、固定端子１３ｆに絶縁被覆配線２１の先端の配線端子（不図示）を接触させた後、座金付きねじ１３ｏを螺合することで、電源供給用の絶縁被覆配線２１の接続が完了する。
【００３１】
また、第１及び第２中継端子ブロック１３Ａ，１３Ｂに対して絶縁被覆配線１８〜２１から引張り力が作用する場合があるが、第１中継端子ブロック１３Ａ，１３Ｂのケース係合部１６が電磁接触器２の上ケース５ｂの隔壁１２に形成した中継端子係合部１４に係合しているので、第１及び第２中継端子ブロック１３Ａ，１３Ｂは、引張り力に抗しながら絶縁被覆配線１８〜２１と、負荷側主回路端子２ｂ１，２ｂ２、負荷側補助端子２ｂ４及び負荷側コイル端子２ｂ５とを確実に導通させる。
【００３２】
次に、本実施形態の電磁開閉器１の効果について説明する。
本実施形態の電磁開閉器１は、電磁接触器２の負荷側主回路端子２ｂ１〜２ｂ３、負荷側補助端子２ｂ４及び負荷側コイル端子２ｂ５と、熱動形過負荷継電器３の電源側接続部（電源側接続バー３ａ１〜３ａ３）との間の配線スペースが狭いが、負荷側主回路端子２ｂ１，２ｂ２、負荷側補助端子２ｂ４及び負荷側コイル端子２ｂ５には、狭い配線スペースから外部に突出した第１及び第２中継端子ブロック１３Ａ，１３Ｂが接続されており、第１及び第２中継端子ブロック１３Ａ，１３Ｂの周囲に広い配線スペースを設けているので、絶縁被覆配線１８〜２１の配線作業を容易に行なうことができる。
しかも、第１及び第２中継端子ブロック１３Ａ，１３Ｂの周囲の広い配線スペースで行なう絶縁被覆配線１８〜２１の配線作業は引き回しが不要となるので、高剛性の絶縁被覆配線１８〜２１であっても配線作業を容易に行なうことができる。
【００３３】
また、絶縁被覆配線１８〜２１から引張り力が作用しても、第１及び第２中継端子ブロック１３Ａ，１３Ｂが電磁接触器２の上ケース５ｂから外れないようにケース係合部１６及び中継端子係合部１４が係合しているので、絶縁被覆配線１８〜２１及び電磁接触器２の接続状態を十分に確保することができる。
また、ケース係合部１６及び中継端子係合部１４の係合は、ケース係合部１６の開口部を上ケース５ｂの隔壁１２及び中継端子係合部１４に対向させ、ケース係合部１６の第１溝１６ａに上ケース５ｂの隔壁１２を挿通し、第２溝１６ｂに隔壁１２の側面から突出した中継端子係合部１４を挿通させて係合しているので、電磁接触器２に対する第１及び第２中継端子ブロック１３Ａ，１３Ｂの装着を容易に行なうことができる。
【００３４】
さらに、電磁接触器２の負荷側の端子に接続した第１及び第２中継端子ブロック１３Ａ，１３Ｂの端子ボックス１３ｄは、電磁接触器２の消弧カバー９に当接して接続した補助接点ユニット４の負荷側ユニット端子４ｂ１〜４ｂ４より低い位置に配置されているので、補助接点ユニット４の負荷側ユニット端子４ｂ１〜４ｂ４への外部配線の接続も容易に行なうことができる。
【００３５】
なお、本実施形態では、２つの端子室１３ｂ，１３ｃを設けた第１及び第２中継端子ブロック１３Ａ，１３Ｂについて説明したが、本発明の要旨がこれに限定されるものではなく、３つ以上の端子室を設けた構造の中継端子ブロックであってもよい。
また、本実施形態では、負荷側主回路端子２ｂ１，２ｂ２に第１中継端子ブロック１３Ａ、負荷側補助端子２ｂ４及び負荷側コイル端子２ｂ５に第２中継端子ブロック１３Ｂを接続した構造について説明したが、第１及び第２中継端子ブロック１３Ａ，１３Ｂが接続する電磁接触器２の端子の組み合わせを替えてもよい。
【符号の説明】
【００３６】
１…電磁開閉器、２…電磁接触器、２ａ１〜２ａ３…電源側主回路端子、２ａ４…電源側補助端子、２ａ５…電源側コイル端子、２ｂ１〜２ｂ３…負荷側主回路端子、２ｂ４…負荷側補助端子、２ｂ５…負荷側コイル端子、２ｆ…動作表示片、３…熱動形過負荷継電器、３ａ１〜３ａ３…電源側接続バー、４…補助接点ユニット、５ａ…下ケース、５ｂ…上ケース、６，７…端子室、８…接点部、８ｃ…可動接点、９…消弧カバー、１１…固定接触子、１１ａ…座金付きねじ、１２…隔壁、１３Ａ…第１中継端子ブロック、１３Ｂ…第２中継端子ブロック、１３ａ…隔壁、１３ｂ，１３ｃ…端子室、１３ｄ…端子ボックス、１３ｅ，１３ｆ…固定端子、１３ｇ，１３ｈ…脚部、１３ｉ，１３ｊ…接続部、１３ｋ…絶縁チューブ、１３ｍ…保持部、１３ｐ…第１中継端子、１３ｑ…第２中継端子、１３ｒ…端子カバー、１４…中継端子係合部、１６…ケース係合部、１６ａ…第１溝、１６ｂ…第２溝、１８〜２１…絶縁被覆配線
【図１】
0005521843.tif 000002
【図２】
0005521843.tif 000003
【図３】
0005521843.tif 000004
【図４】
0005521843.tif 000005
【図５】
0005521843.tif 000006
【図６】
0005521843.tif 000007
【図７】
0005521843.tif 000008
【図８】
0005521843.tif 000009
【図９】
0005521843.tif 000010